(57)【特許請求の範囲】
【請求項１】
箱からなる容器部分と、複数の面で構成されたシート部分とが一体に形成されたパッケージにおいて、
前記シート部分は、
前記箱の面と繋がった第４の面と、当該第４の面と一連に繋がった第１の面、第２の面、及び第３の面と、で構成され、
展開状態において、前記第１の面と前記第３の面とが第２の面を介して左右対称に配置され、前記箱の面と第１の面とが前記第４の面を介して上下対称に配置され、
前記パッケージは、
前記シート部分を開くことにより、製品説明等の記載面である表面を拡大して展開可能であり、
前記第１の面を前記第４の面を介して折り畳んだ状態で、前記第３の面を前記第２の面を介して折り畳むことにより、前記第１の面と前記第３の面とが、前記容器部分を表側と裏側から挟み込む態様で覆う
ことを特徴としたパッケージ。
【発明の詳細な説明】
【技術分野】
【０００１】
本発明はパッケージに関する。
【背景技術】
【０００２】
従来の箱は、六面体でなり、面積が限られていた。
【発明の概要】
【発明が解決しようとする課題】
【０００３】
従来の箱は、六面体であり、図１に示すように面積が限られていた。そして、また、別に取扱い説明書を必要とした。また、取扱い説明書も紛失する。                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                    本発明はこのような課題に鑑みてなされたものであって、優れたパ                                                                                ッケージを提供することを目的としている。
【課題を解決するための手段】
【０００４】
このような課題を解決する本発明は、パッケージの面が多くなるようにし、展開の仕方と開け方を指示することを特徴とする。
【発明の効果】
【０００５】
本発明によれば、パッケージの表（おもて）面がパッケージ体積表面より大きく、小さい箱でも取扱い説明書等を充分に書き込めるので、取扱い説明書を作る必要がなく、コストダウンとなり、取扱い説明書を紛失して分からなくなるという不具合が無くなるので、特別安くなり効果があるので、販売が促進される。
２．紙の一面印刷で連続形で１ショットで打ち抜きなので、量産に適する。また、フラットになるので、在庫の処理が便利になる。情報が書き込まれているので、いちいち取扱い説明書を読む必要がない。また、取扱い説明書を紛失して、薬の効能等が分からなくなるという不具合が無くなる。また、Ｓ1面とＳ6面の接続面は片面切刷りブレを記載できる。このように、パッケージの面を二重にすることで、書き込む情報量を大幅に増やすことができる。
【図面の簡単な説明】
【０００６】
【図１】公知のパッケージを示す図
【図２】本発明の外観形状を裏から見た図
【図３】裏から見た図
【図４】本発明の第1段階を開いた図
【図５】本発明の第2段階の開始図
【図６】本発明の具体的な実施例を示す図
【本発明を実施するための形態】
【０００７】
以下、図面を参照して本発明の実施例を詳細に説明する。図1は本発明のパッケージの外観形状を示す図である。図2、図3は表から見た図である。図において、Ｓ１は第１面（表面）、Ｓ２は第２面（裏面）である。Ｓ３は第３面（上面）、Ｓ４は底面、Ｓ５は右側面、Ｓ６は左側面である。以上の説明において、Ｓ2面，Ｓ４面とＳ６面は図1では裏に隠れて見えない面である。
【０００８】
１はここから箱を開けるという指示マーク、２は第1段階の展開を示す指示マーク、3は第2段階展開を指示するマークである。1には「ＯＰＥＮ」と表示されており、端部１ａからＳ３を挿抜可能であることを示している。そして、面Ｓ３を挿抜することにより、パッケージの中身を取り出せる。
中にパックを詰めたり、取り出したりする。また、マーク2には「ＲＥＡＤ1」と表示され、マーク3には「ＲＥＡＤ2」と表示され、展開法を設ける。図２の正面からＳ１，Ｓ３，Ｓ５，Ｓ６の面が見えるのでこの記載事項を読む。図３の裏面からＳ２の記載を読む。
【０００９】
図4は「ＲＥＡＤ1」は誘導化され扉Ｓ１を開けた本発明の第１段階の展開した図である。そして図１で新たに出現した面Ｓ9を上面Ｓ3、下面Ｓ4を読む。従って、Ｓ3，Ｓ9，Ｓ4と続く大記載面を得られる。図2の正面からＳ1，Ｓ3，Ｓ5，Ｓ6の面で見た載事項を読む。図3の裏面からＳ2の記載を読む。
Ｓ1面とＳ6面の接続面は片面印刷では記載しないが内面印刷で記載できる。このように、パッケージの面を二重にすることで、書き込む情報量を大幅に増やすことができる。
【００１０】
図5は3「ＲＥＤＡ2」を開いた本発明の第２段階の図である。Ｓ１０面が新たに出現するので更に情報を記載できる。
【００１１】
図6は本発明の実例実施例の1シートにした展開図である。情報の記載の上下左右を示す。
【産業上の利用可能性】
【００１２】
本発明により、ティーカップ、健康補助食品、菓子類、日用品，電気製品等のパッケージとしても用いて、特に多くの説明が必要な時に、刷紙で取扱い説明書を作る必要もなく、紛失のおそれなく、小さい箱で充分な記載面積を有する便利で効果のある量産に適し、フラットになるので、在庫でスペースをとらない。
【符号の説明】
【００１３】
Ｓ1，Ｓ2          面
Ｓ3〜Ｓ12        面
1          表示部
1ａ                  スリット
2                    表示部
2ａ                  スリット
3                    表示部
3ａ                  表示部
5，6                挿入部
8                    挿入部
9，10              挿入部
11，12            挿入部
【図１】
0006352822.tif 000002
【図２】
0006352822.tif 000003
【図３】
0006352822.tif 000004
【図４】
0006352822.tif 000005
【図５】
0006352822.tif 000006
【図６】
0006352822.tif 000007